(57)【要約】【課題】主に、食品や食材が包装された袋等を包丁やハサミやカッターナイフ等を使わずに、より安全に・より簡単に・より迅速に開封ができ、その切れ端を器具の内部に収容し、さらに、不定形の袋や剥がしにくいフィルム状の蓋を用いた容器等の開封にも対応できるとともに、心地よい使用感が得られる切れ端を収容できる開封器具を提供すること。【解決手段】容器本体１と開口部２に蝶着した蓋体３の双方に、挟持機構と断裁機構を設けるとともに、中容器１６を容器本体１内に納置する。【選択図】      図１
2004277006.tif 000002
【特許請求の範囲】
【請求項１】
容器上部に開口部（２）を設け、前壁上端面（６）に断面凹状の刃受け溝（７）を縦貫状に形成してなる容器本体（１）と、前記開口部（２）に整合し開閉自在とする蓋体（３）の長手方向縁部に案内レール（４）を載設し、同案内レール（４）及び同長手方向縁部に、前記刃受け溝（７）とほぼ合致する細隙（９）を設けてなる蓋体（３）とを係合可能に蝶着するとともに、前記案内レール（４）及び前記細隙（９）にＶ字形刃物（１２）を有する摺動体（５）を往復動自在に設けたことを特徴とする切れ端を収容できる開封器具。
【請求項２】
容器本体（１）内部に、出し入れ自在とする中容器（１６）を納置したことを特徴とする請求項１記載の切れ端を収容できる開封器具。
【発明の詳細な説明】
【０００１】
【発明の属する技術分野】
本発明は、商品が詰められた包装袋等を断裁開封し、その切れ端を直接開封器具の内部に収容する開封器具に関する。
【０００２】
【従来の技術】
今や多くの商品が包装されており、とくに食品等が詰められた袋や、プラスチック容器等に用いたフィルム状の蓋などを手で開封しにくい場合、包丁やハサミ、又はカミソリやカッターナイフ等が使用されている。しかし、中身が液体から固体まで多種多様で包装形態も異なるため、それぞれの刃物を使い分けることになり、そのため必要なとき各刃物が速やかに使えるように常時揃えて置く必要があった。
【０００３】
【発明が解決しようとする課題】
現在では、食品だけを例にとっても、お茶・お菓子をはじめにレトルト食品・冷凍食品等々袋詰めカップ詰めされた食品食材が普及し、一般家庭でも大量に消費されるようになった。そうした中、消費者の開封しにくいとの声も多く聞かれ、今日では多くの主婦が仕事を持つようになり、そのため家事も更に忙しくなって開封に手間取るだけでもイライラすると言い、一方、歳を取ると指先にも力が入らず視力も衰えて、丈夫な袋や切り口を探して開封するのは大変だと言う高齢者の声もある。こうした問題点を解決するため、この発明では、包丁やハサミ等を使わずとも誰にでも安全、簡単、速やかに包装袋等の開封ができ、さらに、必ず出る切れ端を容器内部に収容できる開封器具の提供を目的としている。
【０００４】
【課題を解決するための手段】
この発明は、容器の上部に開口部を設け、その前壁上端面に断面凹状の刃受け溝を縦貫状に形成してなる容器本体と、前記開口部に整合し開閉自在とする蓋体の長手方向縁部に案内レールを載設し、同案内レール及び同長手方向縁部に前記刃受け溝とほぼ合致する細隙を設けてなる蓋体とを、係合可能に蝶着するとともに前記案内レール及び細隙に、Ｖ字形刃物を有する摺動体を往復動自在に設けることで、蓋体と前壁上端面による挟持機構と、案内レールと摺動体の移動による断裁機構とが構成され、包装袋の瞬時の開封とその切れ端を収容するとした手段を設けるものである。
【０００５】
また、容器本体内部に出し入れ自在とする中容器を納置し、収容した切れ端を容器本体から速やかに取り出せるようにしたことにも特徴を有する。
【０００６】
【発明の実施の形態】
本発明の実施形態を図面１〜図面６にもとずいて説明する。
【０００７】
図１に示すものは、本発明の切れ端を収容できる開封器具の斜視図であり、大きさは任意とし、おもに、容器本体１と上部開口部２に蝶着された蓋体３と、その蓋体３に設けられた案内レール４及び摺動体５などで構成されている。
【０００８】
容器本体１には、上部に平坦な開口部２が設けられ、その前壁上端面６に溝幅約２ミリ、深さ約５ミリとする断面凹状の刃受け溝７が、前壁上端面６の両端部を未貫通状として直線状に形成されている。この挟持機構の下部となる前壁上端面６の肉厚は７〜８ミリ程度が適当であり、また、切れ端Ｋは前壁上端面６に密着し易いため、上端面の内側辺を曲面状（図２参照）に面取りするとよい。
【０００９】
図１、図２で示すように、板状とする蓋体３には、開閉側の長手方向縁部に沿って、レールの両内側を凹部４ａとした案内レール４が載設され、外側のレール基部８は蓋体３の端面とズレなく設けられ、その案内レール４と長手方向縁部には、上記刃受け溝７の溝幅と長さにほぼ合致する細隙９が貫通状に形成されている。
【００１０】
図３で示すように、上記のごとく構成され上部の挟持機構となる蓋体３は、開蓋時の仰角Ａが８０度以上となるよう、また、閉蓋時には刃受け溝７と細隙９が整合するよう開口部２に蝶着されている。蝶着する場合は蝶番を用いても、又は、容器本体１と蓋体３の各々に蝶着部が形成されたものでもよい。なお、容器本体１と蓋体３及び案内レール４には合成樹脂材を用いるのが最も望ましい。
【００１１】
図１〜図４で示すように、案内レール４に往復動自在に設けられる摺動体５は、把手部１０と摺接部１１と、その底部に固着されるＶ字形の刃物１２で構成され、同摺接部１１を凸部１１ａとして案内レール４の凹部４ａと嵌合させることにより、摺動体５は案内レール４からの安易な脱離が防止され、断裁機構として安全に機能することになる。なお、摺動体５の材質も円滑な摺動と刃物１２の固着に適した合成樹脂材を用いるのがよい。
【００１２】
また、上記摺動体５は案内レール４からの抜脱と、嵌入をも自在とすることができる。その手段として、細隙９の長さ及びレール材質の硬度や肉厚に因って、外側レールに撓みが生じるため、レール中央部に位置させた摺動体５をレール方向に４５度程傾けることにより、梃子の作用で凸部１１ａが外側レールを押し拡げ、よって摺動体５の嵌脱が片手でも容易できることになる。なお、外側レールの撓みが緩い場合はレール中央部で摺動体５がガタつくため、外側レールによる摺動体５への挟持力を調節できる棒線バネ１３又は、板バネ等を用いるものとする。棒線バネ１３は径１．８ミリ程の金属棒をレールの長さと同等にして弧状に曲げ、レール基部８と平行にして棒線バネ１３の両端部をレール基部８に固着するもので、これにより外側レールは内側に押し戻され摺動体５への適度な挟持力が保持されることになる。
【００１３】
図４に示すように、摺動体５の底部に固着された刃物１２は、刃先角度を約９０度の両刃としているため、摺動体５は案内レール４のどこの位置からでも挟持した包装袋等の断裁ができ、しかも、押圧移動により開封箇所両側の固定と刃物１２での断裁が同時進行するため、摺動体５の瞬時の移動（０．数秒）による断裁を可能にしている。なお、刃物１２は錆びにくいステンレス製を用い、薄さは０．３ミリ程度とするのがよい。
【００１４】
図５に示すものは、Ｕ字状に形成した側板１４にシート状素材１５を帖着し、上方を開口させた中容器１６である。中容器１６は容器本体１内に納置して切れ端Ｋを収容し、容易に取り出せる容器としており、薄く丈夫な素材と断面がＵ字形状（図３参照）であれば製法などはとくに限定されない。このＵ字形状とすることで容器本体１への出し入れが容易となり、また、切れ端Ｋの底部へのへばり付きが防止されるからである。なお、中容器１６を出し入れする際、空気抵抗がある場合は容器本体１の底部に空気抜き孔１７（図３参照）を設けるのもよい。
【００１５】
上記のように構成された開封器具の使用方法は次の通りである。
【００１６】
まず、開封する包装袋の側部か底部を持ち、利き手で把手部１０を摘み摺動体５を案内レール４の端部に寄せ持ち上げると蓋体３が開く。次いで、包装袋の開封箇所を刃受け溝７に重合させ、蓋体３を閉めると同時に摺動体５を押圧しつつ一気に移動（図６参照）させて開封箇所を断裁する。次いで、蓋体３を少し開けると包装袋は外れ、切れ端Ｋは中容器１６へと収容され、切れ端Ｋが溜まれば中容器１６を容器本体１から取り出して捨てるものとする。
【００１７】
また、摺動体５は、案内レール４の中央部から抜脱して単独で使用でき、使用後は、同場所へ抜脱と同様に４５度傾けて嵌入する。なお、摺動体５はレールの端部付近では嵌脱不可となる。
【００１８】
本発明は、壁面に設置するか、又は卓上用としても使用でき、壁面に設置した場合、容器本体１の取り付け方によっては摺動体５が壁面に先当たりして中容器１６が取り出しにくくなるため、その場合は摺動体５を抜脱してからとする。また、取付け部１８にゴム状のマグネットを用いると、冷蔵庫等スチール製の壁面が利用でき設置場所を自在に変えることができる。
【００１９】
【発明の効果】
本発明は、包装袋を挟持し摺動体を移動させるだけで、然程力も要らず簡単に開封でき、断裁時にも刃物が全く露出しないため誰にでも安心して使え、一台で包丁やハサミやカッターナイフ等の役割りがなせる。
【００２０】
本発明は、濡れた手や油などが付いた手でも使用することができ、さらに、瞬時の断裁が可能なため開封する数が多いほどその機能が発揮され、切れ端も全て容器内に収容されるため、ハサミを使った場合のように切れ端を片付ける必要がない。
【００２１】
本発明は、摺動体を単独で使うこともできるため、真空パックなど不定形の包装袋や容器に密着した剥がしにくい蓋などにも対応でき、ことに、機能面だけでなく瞬時の断裁によって生じる心地よい使用感が加味され、仕事や家事などで毎日が多忙な主婦や、高齢者などへの一助になる。
【図面の簡単な説明】
【図１】本発明の斜視図である
【図２】本発明の要部拡大断面図である
【図３】本発明の側部断面図である
【図４】本発明の摺動体の正面拡大図である
【図５】本発明の中容器の斜視図である
【図６】本発明の使用状態を示す図である
【符号の説明】
１  容器本体
２  開口部
３  蓋体
４  案内レール
５  摺動体
６  前壁上端面
７  刃受け溝
９  細隙
１２  刃物
１６  中容器
Ｋ  切れ端
【図１】
2004277006.tif 000003
【図２】
2004277006.tif 000004
【図３】
2004277006.tif 000005
【図４】
2004277006.tif 000006
【図５】
2004277006.tif 000007
【図６】
2004277006.tif 000008